(57)【特許請求の範囲】
【請求項１】
断熱箱体の内部を仕切壁により上下に区画して、冷蔵室及び野菜室からなる貯蔵室と冷凍室とを設け、これら貯蔵室及び冷凍室の前面開口部に、同開口部を開閉する開閉扉を設けてなり、
前記冷蔵室及び野菜室が、前記貯蔵室を仕切る仕切板により左右に区画されて形成されるとともに、前記野菜室側の前記仕切板と、これに対向する内壁とに上下方向に複数の支持部を設け、同支持部に複数の載置棚を着脱自在に支持し、
前記野菜室の前面に、前記仕切板の前端上下に設けられたヒンジにより回動自在に軸支される内扉を設け、この内扉の前面に、上部が開放されて底面、前面及び両側面からなる前面収容部を設け、この前面収容部の上部に、前記前面収容部に対向して下部が開放され、上面、前面及び両側面からなるカバーを設けてなることを特徴とする電気冷蔵庫。
【請求項２】
断熱箱体の内部を仕切壁により上下に区画して、冷蔵室及び野菜室からなる貯蔵室と冷凍室とを設け、これら貯蔵室及び冷凍室の前面開口部に、同開口部を開閉する開閉扉を設けてなり、
前記冷蔵室が、前記貯蔵室を上下に仕切る第一仕切板の上部と、同第一仕切板の下部に垂設されて同第一仕切板の下部を左右に仕切る第二仕切板の一方に形成され、前記野菜室が、前記第二仕切板の他方に形成されるとともに、前記野菜室側の第二仕切板と、これに対向する内壁とに上下方向に複数の支持部を設け、同支持部に複数の載置棚を着脱自在に支持し、前記野菜室の前面に前記第二仕切板の前端上下に設けられたヒンジにより回動自在に軸支される内扉を設け、この内扉の前面に、上部が開放されて底面、前面及び両側面からなる前面収容部を設け、この前面収容部の上部に、前記前面収容部に対向して下部が開放され、上面、前面及び両側面からなるカバーを設けてなることを特徴とする電気冷蔵庫。
【請求項３】
前記支持部が、前記野菜室側の仕切板及びこれに対向する内壁とに突設された突部からなる一方、前記載置棚に前記突部と係脱自在に係合する溝状の係合部を設け、同係合部を前記突部に係合して前記載置棚が着脱自在に支持されてなることを特徴とする請求項１又は請求項２の何れかに記載の電気冷蔵庫。
【請求項４】
前記内扉が、透明性を有する部材からなることを特徴とする請求項１乃至請求項３の何れかに記載の電気冷蔵庫。
【請求項５】
前記前面収容部が、前記内扉と一体に形成されてなることを特徴とする請求項１乃至請求項４の何れかに記載の電気冷蔵庫。
【請求項６】
前記前面収容部の両側面後部に係止爪を設ける一方、前記内扉に前記係止爪に対応する係止孔を設け、同係止孔に前記係止爪を着脱自在に係止して、前記前面収容部が前記内扉に設けられてなることを特徴とする請求項１乃至請求項４の何れかに記載の電気冷蔵庫。
【請求項７】
前記カバーが、前記内扉の一側上下に設けられたヒンジにより回動自在に軸支されてなることを特徴とする請求項１乃至請求項６の何れかに記載の電気冷蔵庫。
【発明の詳細な説明】
【０００１】
【発明の属する技術分野】
本発明は、電気冷蔵庫に係わり、より詳細には、電気冷蔵庫内に設けられる野菜室の収容量を増加させるとともに、同野菜室を立ったままの姿勢で利用できるようにして使い勝手を向上させた構造に関する。
【０００２】
【従来の技術】
従来の電気冷蔵庫は、外箱と内箱の間に断熱材を発泡充填して形成される庫内を、仕切壁により区画して、温度帯の異なる複数の貯蔵室を設けている。例えば図８（Ａ）で示すように、電気冷蔵庫３０は前面開口部に開閉扉３２を備え複数の棚３１ａを配した冷蔵室３１を設け、中央部に二段に冷凍室３３及び冷凍室３４を設け、下方に引出し式の野菜室３５を設けている。しかるに同冷蔵庫３０の野菜室３５は、図８（Ｂ）の断面図に示すように周囲を断熱材３７で囲われており、同断熱材３７に要する容積のためと、また後部に圧縮機３６を配設した機械室３８を設けているために、背面部が傾斜して形状が制限され、これらにより収容量が制限されて大物野菜を入れた後に長物野菜等をそのまま収容するということが困難となり、また収容された野菜が他の野菜を押圧して鮮度を落とすという問題があった。また、同野菜室３５が下部に設けられているために、野菜を出し入れする際は、同野菜室３５をしゃがみ姿勢で利用しなければならず使い勝手が悪いという問題があった。
【０００３】
【発明が解決しようとする課題】
本発明は上記問題点に鑑み、庫内に設けられる野菜室の収容量を増加させるとともに、同野菜室を立ったままの姿勢で利用できるようにして使い勝手を向上させた電気冷蔵庫を提供することを目的とする。
【０００４】
【課題を解決するための手段】
本発明は上記課題を解決するため、断熱箱体の内部を仕切壁により上下に区画して、冷蔵室及び野菜室からなる貯蔵室と冷凍室とを設け、これら貯蔵室及び冷凍室の前面開口部に、同開口部を開閉する開閉扉を設けてなり、
前記冷蔵室及び野菜室が、前記貯蔵室を仕切る仕切板により左右に区画されて形成されるとともに、前記野菜室側の前記仕切板と、これに対向する内壁とに上下方向に複数の支持部を設け、同支持部に複数の載置棚を着脱自在に支持し、前記野菜室の前面に、前記仕切板の前端上下に設けられたヒンジにより回動自在に軸支される内扉を設け、この内扉の前面に、上部が開放されて底面、前面及び両側面からなる前面収容部を設け、この前面収容部の上部に、前記前面収容部に対向して下部が開放され、上面、前面及び両側面からなるカバーを設けてなる構成となっている。
【０００６】
また、断熱箱体の内部を仕切壁により上下に区画して、冷蔵室及び野菜室からなる貯蔵室と冷凍室とを設け、これら貯蔵室及び冷凍室の前面開口部に、同開口部を開閉する開閉扉を設けてなり、
前記冷蔵室が、前記貯蔵室を上下に仕切る第一仕切板の上部と、同第一仕切板の下部に垂設されて同第一仕切板の下部を左右に仕切る第二仕切板の一方に形成され、前記野菜室が、前記第二仕切板の他方に形成されるとともに、前記野菜室側の第二仕切板と、これに対向する内壁とに上下方向に複数の支持部を設け、同支持部に複数の載置棚を着脱自在に支持し、前記野菜室の前面に前記第二仕切板の前端上下に設けられたヒンジにより回動自在に軸支される内扉を設け、この内扉の前面に、上部が開放されて底面、前面及び両側面からなる前面収容部を設け、この前面収容部の上部に、前記前面収容部に対向して下部が開放され、上面、前面及び両側面からなるカバーを設けてなる構成となっている。
【０００７】
また、前記支持部が、前記仕切板及びこれに対向する内壁とに突設された突部からなる一方、前記載置棚に、前記突部と係脱自在に係合する溝状の係合部を設け、同係合部を前記突部に係合して前記載置棚が着脱自在に支持された構成となっている。
【０００８】
また、前記内扉が、透明性を有する部材からなる構成となっている。
【００１０】
また、前記前面収容部が、前記内扉と一体に形成された構成となっている。
【００１１】
また、前記前面収容部の両側面後部に係止爪を設ける一方、前記内扉に前記係止爪に対応する係止孔を設け、同係止孔に前記係止爪を着脱自在に係止して、前記前面収容部が前記内扉に設けられた構成となっている。
【００１３】
また、前記カバーが、前記内扉の一側上下に設けられたヒンジにより回動自在に軸支された構成となっている。
【００１６】
【発明の実施の形態】
以下、本発明の実施の形態を、添付図面に基づいた実施例として説明する。
図１は、本発明による電気冷蔵庫の第一の実施例を示す外観斜視図であり、図３及び図４は、第二の実施例及び第三の実施例を夫々示す外観斜視図である。
まず第一の実施例を、図１に基づいて説明する。電気冷蔵庫１は、断熱材を介装した外箱と内箱とからなる断熱箱体であり、仕切壁により同断熱箱体を上下に区画して上部に貯蔵室１ａを配し、下部に冷凍室５及び冷凍室６を配している。前記貯蔵室１ａの開口部には、同開口部を開閉し、収容部７ａ及び７ｂを内設する開閉扉７が設けられ、また同貯蔵室１ａには、同貯蔵室１ａを左右に仕切る仕切板４が設けられ、同仕切板４により仕切られた右方は複数の載置棚２ａを設けた冷蔵室２が形成され、同仕切板４の左方には複数の載置棚３ａが設けられた野菜室３が形成されている。
【００１７】
前記野菜室３の前面には、前面仕切板４の前端上下に設けられたヒンジ２２により回動自在に軸支された内扉８が設けられており、同内扉８により、前記野菜室３を封止して前記冷蔵室２の低湿度の冷気が前面野菜室３に侵入し同野菜室３に貯蔵された野菜類が乾燥することを防止している。また前記内扉８は透明性を有する部材から形成されており、同内扉８を開けることなく前記野菜室３内に貯蔵された野菜類を視認することができるようになっている。
【００１８】
また前記野菜室３は、図２で示すように同野菜室３側の仕切板４と、これに対向する内壁とに前記載置棚３ａの支持部となる円形状の突部３ｃが上下方向に設けられ、前記載置棚３ａの底面には同突部３ｃに係脱自在に係合する溝状の係合部３ｂが前後に形成されている。同係合部３ｂを前記突部３ｃを係合することにより、前記載置棚３ａは着脱自在に支持される。
【００１９】
次に、第二の実施例について説明をする。図３で示すように電気冷蔵庫９は、断熱材を介装した外箱と内箱とからなる断熱箱体であり、仕切壁により同断熱箱体を上下に区画し、上部に貯蔵室９ａを、下部に冷凍室５及び冷凍室６を配しており、同貯蔵室９ａの開口部には、同開口部を開閉し、収容部７ａ及び７ｂを内設する開閉扉７が設けられている。また同貯蔵室９ａには、やや下方に同貯蔵室９ａを上下に仕切る第一仕切板１２ａが水平に横架され、同仕切板１２ａには、同仕切板１２ａの上部を左右に仕切る第二仕切板１２ｂが立設されている。同第二仕切板１２ｂの右方には複数の載置棚１０ａを設けた冷蔵室１０が、同第二仕切板１２ｂの左方には複数の載置棚１１ａを設けた第一野菜室１１が形成され、また前記第一仕切板１２ｂの下方には第二野菜室１４が形成されている。同第二野菜室１４は長物野菜を貯蔵するための野菜室であり、長物野菜の形状を損なうことなく収容することができる。
【００２０】
また前記第一野菜室１１の前面には、前記第二仕切板１２ｂの前端上下に設けられたヒンジ２２により回動自在に軸支された第一野菜室の内扉１３が設けられ、前記第二野菜室１４の前面には、前記貯蔵室９ａと前記冷凍室５を区画する区画壁の前端に設けられたヒンジ２２により回動自在に軸支される第二野菜室の内扉１５が設けられている。前記第一野菜室１１の内扉１３と同第二野菜室１４の内扉１５とは、透明性を有する部材から形成されており、同第一野菜室１１の内扉１３及び同第二野菜室１４の内扉１５を開けることなく前記野菜室１１及び前記野菜室１４内に貯蔵された野菜類を視認することができる。
【００２１】
次に、第三の実施例について説明をする。図４で示すように電気冷蔵庫１６は、断熱材を介装した外箱と内箱とからなる断熱箱体であり、仕切壁により同断熱箱体を上下に区画し、上部に貯蔵室１６ａを、下部に冷凍室５及び冷凍室６を配しており、同貯蔵室１６ａの開口部には、同開口部を開閉し、収容部７ａ及び７ｂを内設する開閉扉７が設けられている。また同貯蔵室１６ａには、やや上方に同貯蔵室１６ａを上下に仕切る第一仕切板１７ａが水平に横架され、同第一仕切板１７ａには同第一仕切板１７ａの下部を左右に仕切る第二仕切板２０が垂設されている。前記第一仕切板１７ａの上方には冷蔵室１７が形成され、前記第二仕切板２０の右方には複数の載置棚１８ａを設けた冷蔵室１８が形成されており、また前記第二仕切板２０の左方には、複数の載置棚１９ａを設けた野菜室１９が形成されている。本実施例は、野菜室１９が前記貯蔵室１６ａの上方まで形成されていると、野菜室の載置棚１８ａが同野菜室１９に貯蔵された貯蔵品を視認する障害となるため、同貯蔵室１６ａの上方は冷蔵室１７とした例である。又、前記野菜室１９の前面には、前記第二仕切板２０の前端上下に設けられたヒンジ２２により回動自在に軸支される、透明性を有する部材からなる内扉２１が設けられている。
【００２２】
次に、前記野菜室の前面に設けられた前記内扉８、１３及び２１の第二の実施例について説明する。図５で示すように前記野菜室３の前面に回動自在に軸支された内扉２３の前面には、上部が開放され前面、底面及び両側面からなる方形状の前面収容部２３ａ及び前面収容部２３ｂが設けられ、長物野菜は同前面収容部２３ａ及び同前面収容部２３ｂに立てかけて収容できるようになっている。これは前記野菜室３に長物野菜が収容しきれない際や、長物野菜を変形させずに収容したい際に利用でき、また庫内の貯蔵室のスペースを有効利用する方法である。前面前面収容部２３ａは前記内扉２３と一体に形成されるか、あるいは図５（Ｂ）に示すように前記収容部４０の両側面後部に設けられた係止爪４０ａが、前記内扉２３の同係止爪４０ａに対応して設けられた前記係止孔２３ｇに着脱自在に係止するように設けられている。
【００２３】
図６は、前記前面収容部２３ａ及び前記前面収容部２３ｂの上部に、背面及び下面が開放され上面、前面及び両側面からなり、透明性を有する部材から形成された方形状のカバー２３ｄとカバー２３ｃとを設けた例である。同カバー２３ｄと同カバー２３ｃとは、前記内扉２３の側面に設けられたヒンジ２３ｆにより回動自在に軸支されており、同カバー２３ｄと同カバー２３ｃとに覆われることにより、同前面収容部２３ａ及び同前面収容部２３ｂに収容された野菜類を、貯蔵室の低湿度の冷気による乾燥から防ぐことができる。
【００２４】
次に、前記内扉８、１３及び２１の第三の実施例について説明をする。図７で示すように、野菜室の前面に設けられた内扉２４の背面には、上面が開放され、前面、底面及び両側面からなる方形状の背面収容部２４ａ及び背面収容部２４ｂが設けられており、同背面収容部２４ａ及び背面収容部２４ｂは、前記内扉２４に一体に形成され、長物野菜は同背面収容部２４ａ、２４ｂに立てかけて収納することができるようになっている。
【００２５】
【発明の効果】
以上のように本発明によると、電気冷蔵庫の上部に設けられた貯蔵室を仕切板により左右に仕切り、同仕切板の一方に冷蔵室を設け、他方に野菜室とを設けたことにより、同野菜室の収容量を増加させることができるとともに、長物野菜類を変形を生じることなく収容することが可能であり、且つ同野菜室を同電気冷蔵庫の上部に設けたことにより、同野菜室を立ったままの姿勢で利用することのできる使い勝手が向上した電気冷蔵庫となる。
【図面の簡単な説明】
【図１】本発明による電気冷蔵庫の第一の実施例を示す外観斜視図である。
【図２】本発明による電気冷蔵庫の野菜室に設けられた棚の実施例を示す外観斜視図である。
【図３】本発明による電気冷蔵庫の第二の実施例を示す外観斜視図である。
【図４】本発明による電気冷蔵庫の第三の実施例を示す外観斜視図である。
【図５】（Ａ）は本発明による電気冷蔵庫の野菜室に設けられた内扉の第二の実施例を示す外観斜視図である。
（Ｂ）は本発明による電気冷蔵庫の内扉に設けられた収容部の実施例を示す断面図である。
【図６】本発明による電気冷蔵庫の野菜室に設けられた内扉の第二の実施例を示す外観斜視図である。
【図７】本発明による電気冷蔵庫の野菜室に設けられた内扉の第三の実施例を示す外観斜視図である。
【図８】（Ａ）は従来例による電気冷蔵庫の一例を示す外観斜視図である。
（Ｂ）は従来例による電気冷蔵庫に配された野菜室と機械室の一例を示す断面図である。
【符号の説明】
１  電気冷蔵庫
１ａ  貯蔵室
２  冷蔵室
２ａ  載置棚
３  野菜室
３ａ  棚
３ｂ  係合部
４  仕切板
５  冷凍室
６  冷凍室
７  開閉扉
８  内扉
９  電気冷蔵庫
９ａ  貯蔵室
１０  冷蔵室
１０ａ  載置棚
１１  第一野菜室
１１ａ  載置棚
１２ａ  第一仕切板
１２ｂ  第二仕切板
１３  内扉
１４  第二野菜室
１５  内扉
１６  電気冷蔵庫
１６ａ  貯蔵室
１７  冷蔵室
１７ａ  第一仕切板
１８  冷蔵室
１８ａ  載置棚
１９  野菜室
１９ａ  載置棚
２０  第二仕切板
２１  内扉
２２  ヒンジ
２３  内扉
２３ａ  前面収容部
２３ｂ  前面収容部
２３ｄ  カバー
２３ｆ  ヒンジ
２３ｇ  係止孔
２４  内扉
２４ａ  背面収容部
２４ｂ  背面収容部
４０  収容部
４０ａ  係止爪
【図１】
0004043159.tif 000002
【図２】
0004043159.tif 000003
【図３】
0004043159.tif 000004
【図４】
0004043159.tif 000005
【図５】
0004043159.tif 000006
【図６】
0004043159.tif 000007
【図７】
0004043159.tif 000008
【図８】
0004043159.tif 000009